(57)【要約】【課題】電力ケーブルを設置する場所がたとえ狭いスペースであっても、該電力ケーブルを曲げた状態で確実に保持することができる電力ケーブル保持用治具、電力ケーブル部材、太陽電池モジュールおよび太陽電池モジュール取付構造体を提供する。【解決手段】電力ケーブル保持用治具は、電力ケーブルの湾曲した湾曲状の部分に隣接する部分の間隔を維持するように、該電力ケーブルを曲げた状態で保持する第１保持部材を備え、例えば、（１）二つの直線部と湾曲状の湾曲部とを有するパイプ内に電力ケーブルを挿通し、（２）板状の板状部における複数の突起部が電力ケーブルの外形の少なくとも外側を係止し、（３）電力ケーブルを、連結部で連結された二つのパイプ部のうち、一方のパイプ部の一方側から他方側に挿通し、他方のパイプ部の他方側から一方側に挿通し、（４）リング部材内に電力ケーブルを湾曲させて挿通する。【選択図】図３
2014146621.tif 000002
【特許請求の範囲】
【請求項１】
太陽電池モジュールに電気的に接続される電力ケーブルを保持する電力ケーブル保持用治具であって、
前記電力ケーブルの湾曲した湾曲状の部分に隣接する部分の間隔を維持するように、該電力ケーブルを曲げた状態で保持する第１保持部材を備えていることを特徴とする電力ケーブル保持用治具。
【請求項２】
請求項１に記載の電力ケーブル保持用治具であって、
前記湾曲状の部分の形状を維持する構成とされた第２保持部材をさらに備えていることを特徴とする電力ケーブル保持用治具。
【請求項３】
請求項２に記載の電力ケーブル保持用治具であって、
互いに平行または略平行な直線状の二つの直線部と両端が前記二つの直線部の一端にそれぞれ連結された湾曲状の湾曲部とを有するパイプを備え、
前記パイプ内に前記電力ケーブルを挿通することにより、該電力ケーブルが曲げられた状態で該電力ケーブルを保持することを特徴とする電力ケーブル保持用治具。
【請求項４】
請求項１または請求項２に記載の電力ケーブル保持用治具であって、
板状の板状部と、前記板状部に設けられて湾曲した前記電力ケーブルを保持する複数の突起部とを備え、
前記複数の突起部は、前記電力ケーブルの外形の内側と外側とのうち少なくとも外側を係止することにより、該電力ケーブルが曲げられた状態で該電力ケーブルを保持することを特徴とする電力ケーブル保持用治具。
【請求項５】
請求項１または請求項２に記載の電力ケーブル保持用治具であって、
互いに平行または略平行な直線状の二つのパイプ部と、前記二つのパイプ部を平行または略平行を維持するように連結する連結部とを備え、
前記電力ケーブルを、前記二つのパイプ部のうち、一方のパイプ部の一方側から他方側に挿通し、かつ、他方のパイプ部の他方側から一方側に挿通することにより、該電力ケーブルが曲げられた状態で該電力ケーブルを保持することを特徴とする電力ケーブル保持用治具。
【請求項６】
請求項１または請求項２に記載の電力ケーブル保持用治具であって、
長尺なリング形状とされたリング部材を備え、
前記リング部材内に前記電力ケーブルを湾曲させて挿通することにより、該電力ケーブルが曲げられた状態で該電力ケーブルを保持することを特徴とする電力ケーブル保持用治具。
【請求項７】
請求項１から請求項６までの何れか１項に記載の電力ケーブル保持用治具と、前記電力ケーブルとを備えていることを特徴とする電力ケーブル部材。
【請求項８】
請求項７項に記載の電力ケーブル部材を備え、前記電力ケーブル部材に電気的に接続されることを特徴とする太陽電池モジュール。
【請求項９】
請求項７項に記載の電力ケーブル部材と、前記電力ケーブル部材に電気的に接続される太陽電池モジュールと、前記太陽電池モジュールを支持する支持部材とを備えていることを特徴とする太陽電池モジュール取付構造体。
【発明の詳細な説明】
【技術分野】
【０００１】
太陽電池モジュールに適用する電力ケーブル保持用治具、その治具を備えた電力ケーブル部材、太陽電池モジュールおよび太陽電池モジュール取付構造体に関する。
【背景技術】
【０００２】
太陽電池モジュールは、通常、端子ボックスを介して電気的に接続された電力ケーブルを通じて発電電力が外部に出力される。また、複数の太陽電池モジュールを設置する場合には、各太陽電池モジュール間に電力ケーブルが端子ボックスを介して電気的に接続される。
【先行技術文献】
【特許文献】
【０００３】
【特許文献１】特開２００６−４０９５０号公報
【発明の概要】
【発明が解決しようとする課題】
【０００４】
しかしながら、例えば、電力ケーブルを設置する場所のスペースが狭いと、電力ケーブルを曲げる必要が生じることがある。この場合、電力ケーブルを曲げる作業に手間がかかる上、外観上の仕上がり状態も悪化し、さらには、電力ケーブルの曲げ過ぎにより、例えば導通不良や発熱が生じるといった信頼性の低下を招くこともある。これについて、端子ボックスが太陽電池モジュール本体の側面に設けられている場合での電力ケーブルのケーブル接続を例にとってさらに具体的に説明する。
【０００５】
図１０は、太陽電池モジュール１０における太陽電池モジュール本体１１の側面１１ａに設けられた端子ボックス１２に対する電力ケーブル２０の従来の接続状態を示す概略平面図である。なお、図１０において符号１３は太陽電池モジュール本体１１の枠体を示している。
【０００６】
図１０に示す端子ボックス１２は、太陽電池モジュール本体１１の端子ボックス１２が設けられた側面１１ａに沿った方向（図示例では上下方向Ｘ）の両側Ｘ１，Ｘ２の端子部１２ａ，１２ｂに電力ケーブル２０，２０が相反する方向に接続される形態をとっている。すなわち、一方側Ｘ１（図示例では上側）の電力ケーブル２０は、上下方向Ｘにおいて端子ボックス１２の一方側Ｘ１の端子部１２ａに接続され、他方側Ｘ２（図示例では下側）の電力ケーブル２０は、上下方向Ｘにおいて端子ボックス１２の他側Ｘ２の端子部１２ｂに接続される。
【０００７】
この場合、端子ボックス１２の両側Ｘ１，Ｘ２の端子部１２ａ，１２ｂに接続された電力ケーブル２０，２０の何れか一方（図示例では下側の電力ケーブル２０）を折り返して設けるときには、該何れか一方を１８０°または略１８０°（逆方向または略逆方向に）反転させることがある。そうすると、既述したように、電力ケーブル２０の曲げ作業の作業性や外観上の仕上がり状態の悪化或いは電力ケーブル２０の曲げ過ぎによる信頼性の低下といった不都合を招く。
【０００８】
かかる不都合は、集合住宅や一戸建ての住宅におけるバルコニー等の場所に太陽電池モジュールを設置することで（例えば特許文献１参照）、それだけ電力ケーブルを設置する場所のスペースが狭くなる場合に、特に顕著となる。
【０００９】
そこで、本発明は、電力ケーブルを設置する場所がたとえ狭いスペースであっても、該電力ケーブルを曲げた状態で確実に保持することができる電力ケーブル保持用治具、その治具を備えた電力ケーブル部材、太陽電池モジュールおよび太陽電池モジュール取付構造体を提供することを目的とする。
【課題を解決するための手段】
【００１０】
本発明は、前記課題を解決するために、太陽電池モジュールに電気的に接続される電力ケーブルを保持する電力ケーブル保持用治具であって、前記電力ケーブルの湾曲した湾曲状の部分に隣接する部分の間隔を維持するように、該電力ケーブルを曲げた状態で保持する第１保持部材を備えていることを特徴とする電力ケーブル保持用治具を提供する。
【００１１】
本発明において、前記湾曲状の部分の形状を維持する構成とされた第２保持部材をさらに備えている態様を例示できる。
【００１２】
本発明において、互いに平行または略平行な直線状の二つの直線部と両端が前記二つの直線部の一端にそれぞれ連結された湾曲状の湾曲部とを有するパイプを備え、前記パイプ内に前記電力ケーブルを挿通することにより、該電力ケーブルが曲げられた状態で該電力ケーブルを保持する態様を例示できる。
【００１３】
本発明において、板状の板状部と、前記板状部に設けられて湾曲した前記電力ケーブルを保持する複数の突起部とを備え、前記複数の突起部は、前記電力ケーブルの外形の内側と外側とのうち少なくとも外側を係止することにより、該電力ケーブルが曲げられた状態で該電力ケーブルを保持する態様を例示できる。
【００１４】
本発明において、互いに平行または略平行な直線状の二つのパイプ部と、前記二つのパイプ部を平行または略平行を維持するように連結する連結部とを備え、前記電力ケーブルを、前記二つのパイプ部のうち、一方のパイプ部の一方側から他方側に挿通し、かつ、他方のパイプ部の他方側から一方側に挿通することにより、該電力ケーブルが曲げられた状態で該電力ケーブルを保持する態様を例示できる。
【００１５】
本発明において、長尺なリング形状とされたリング部材を備え、前記リング部材内に前記電力ケーブルを湾曲させて挿通することにより、該電力ケーブルが曲げられた状態で該電力ケーブルを保持する態様を例示できる。
【００１６】
また、本発明は、前記本発明に係る電力ケーブル保持用治具と、前記電力ケーブルとを備えていることを特徴とする電力ケーブル部材も提供する。また、本発明は、前記本発明に係る電力ケーブル部材を備え、前記電力ケーブル部材に電気的に接続されることを特徴とする太陽電池モジュールも提供する。また、本発明は、前記本発明に係る電力ケーブル部材と、前記電力ケーブル部材に電気的に接続される太陽電池モジュールと、前記太陽電池モジュールを支持する支持部材とを備えていることを特徴とする太陽電池モジュール取付構造体も提供する。
【発明の効果】
【００１７】
本発明によると、前記電力ケーブルを設置する場所がたとえ狭いスペースであっても、該電力ケーブルを曲げた状態で確実に保持することができ、例えば、該電力ケーブルの曲げ半径を所定値以上に保持した状態で該電力ケーブルを曲げることができる。
【図面の簡単な説明】
【００１８】
【図１】本発明の実施の形態に係る電力ケーブル保持用治具と電力ケーブルとを備えた電力ケーブル部材、電力ケーブルに電気的に接続された複数の太陽電池モジュール、および複数の太陽電池モジュールを支持する支持部材として作用するフレームを備えた太陽電池モジュール取付構造体の一例である手すりを示す概略構成図であって、（ａ）は、手すりを外側から視た正面図であり、（ｂ）は、手すりを内側から視た背面図であり、（ｃ）は、電力ケーブル部材における湾曲ケーブル部の部分を拡大して示す拡大図である。
【図２】第１実施形態の電力ケーブル保持用治具を説明するための説明図であって、太陽電池モジュール本体の側面における端子ボックスに接続された電力ケーブル部においてＵ字コネクタ部の電力ケーブルが電力ケーブル保持用治具に保持されている状態を示す概略正面図である。
【図３】Ｕ字コネクタ部の電力ケーブルを保持した第１実施形態の電力ケーブル保持用治具を示す概略斜視図である。
【図４】第２実施形態の電力ケーブル保持用治具を説明するための説明図であって、太陽電池モジュール本体の側面における端子ボックスに接続された電力ケーブル部においてＵ字コネクタ部の電力ケーブルが電力ケーブル保持用治具に保持されている状態を示す概略正面図である。
【図５】Ｕ字コネクタ部の電力ケーブルを保持した第２実施形態の電力ケーブル保持用治具を示す概略斜視図である。
【図６】第３実施形態の電力ケーブル保持用治具を説明するための説明図であって、太陽電池モジュール本体の側面における端子ボックスに接続された電力ケーブル部においてＵ字コネクタ部の電力ケーブルが電力ケーブル保持用治具に保持されている状態を示す概略正面図である。
【図７】Ｕ字コネクタ部の電力ケーブルを保持した第３実施形態の電力ケーブル保持用治具を示す概略斜視図である。
【図８】第４実施形態の電力ケーブル保持用治具を説明するための説明図であって、太陽電池モジュール本体の側面における端子ボックスに接続された電力ケーブル部においてＵ字コネクタ部の電力ケーブルが電力ケーブル保持用治具に保持されている状態を示す概略正面図である。
【図９】Ｕ字コネクタ部の電力ケーブルを保持した第４実施形態の電力ケーブル保持用治具を示す概略斜視図である。
【図１０】太陽電池モジュールにおける太陽電池モジュール本体の側面に設けられた端子ボックスに対する電力ケーブルの従来の接続状態を示す概略平面図である。
【発明を実施するための形態】
【００１９】
以下、本発明に係る実施の形態について図面を参照しながら説明する。
【００２０】
本発明に係る太陽電池モジュールを備える太陽電池モジュール取付構造体としては、例えば、太陽光を入射することが可能な場所に設置される建材、より具体的には、それには限定されないが、窓、扉、集合住宅や一戸建て住宅のバルコニーやベランダの手すり、船舶のデッキ等の建材を例示できる。
【００２１】
以下の例では、太陽電池モジュール取付構造体として集合住宅や一戸建て住宅のバルコニーやベランダの手すりを例にとって説明する。
【００２２】
図１は、本発明の実施の形態に係る電力ケーブル保持用治具１００と電力ケーブル２０とを備えた電力ケーブル部材２００、電力ケーブル２０に電気的に接続された複数の太陽電池モジュール１０〜１０、および複数の太陽電池モジュール１０〜１０を支持する支持部材として作用するフレーム３１０を備えた太陽電池モジュール取付構造体の一例である手すり３００を示す概略構成図である。図１（ａ）は、手すり３００を外側から視た正面図を示している。図１（ｂ）は、手すり３００を内側から視た背面図を示している。また、図１（ｃ）は、電力ケーブル部材２００における湾曲ケーブル部２１の部分を拡大して示している。なお、図１（ｂ）および図１（ｃ）において、電力ケーブル保持用治具１００は、後述する第１実施形態から第４実施形態の電力ケーブル保持用治具１１０，１２０，１３０，１４０を意味し、鎖線の枠で示している。
【００２３】
図１に示す太陽電池モジュール１０は、集合住宅や一戸建て住宅のバルコニーやベランダの手すり３００（太陽電池モジュール取付構造体の一例）に設けられたものである。太陽電池モジュール１０は、電力ケーブル部材２００を備え、電力ケーブル部材２００に電気的に接続される構成とされている。
【００２４】
手すり３００は、電力ケーブル部材２００と、複数の太陽電池モジュール１０〜１０と、複数の太陽電池モジュール１０〜１０をアレイ状に支持するフレーム３１０とを備えている。
【００２５】
太陽電池モジュール１０は、一定の光を通過させる透光性を有するものとされている。従って、手すり３００を外側から内側に向けて視た場合、バルコニーやベランダに設置された物品（図示例ではエアーコンディショナの室外機や植木）が透けて見える構成とされている（図１（ａ）参照）。また、フレーム３１０は、太陽電池モジュール１０の周縁部を支持する構成とされている。すなわち、手すり３００は、手すりとしての作用に加えてサッシ（窓枠）として作用する手すり兼サッシの機能を有している。
【００２６】
そして、隣り合う太陽電池モジュール１０，１０間には、電力ケーブル２０が端子ボックス１２（図１（ｂ）参照）を介して直列に電気的に接続されている。
【００２７】
本実施の形態では、手すり３００は、太陽電池モジュール１０，１０がアレイ状に設けられているため、隣り合う太陽電池モジュール１０，１０間のスペースＳＰ（図１（ｂ）参照）が狭くなっている。端子ボックス１２は、スペースＳＰに設けられている。
【００２８】
詳しくは、端子ボックス１２は、太陽電池モジュール本体１１の端子ボックス１２が設けられた側面１１ａ（図１（ｂ）参照）に沿った方向（図示例では上下方向Ｘ）の両側Ｘ１，Ｘ２の端子部１２ａ，１２ｂに電力ケーブル２０，２０が相反する方向に接続される構成とされている。
【００２９】
具体的には、端子ボックス１２は、上下方向Ｘに沿った細長い長尺な形状とされており、一方側Ｘ１（図示例では上側）の電力ケーブル２０が、上下方向Ｘにおいて端子ボックス１２の一方側Ｘ１の端子部１２ａに接続され、かつ、他方側Ｘ２（図示例では下側）の電力ケーブル２０が、上下方向Ｘにおいて端子ボックス１２の他方側Ｘ２の端子部１２ｂに接続されるようになっている。
【００３０】
本実施の形態では、電力ケーブル２０は、湾曲した（ここでは１８０°または略１８０°逆方向または略逆方向に反転するように湾曲した）湾曲ケーブル部２１と、一端が湾曲ケーブル部２１の両端にそれぞれ接続される直線ケーブル部２２，２３とを有している。
【００３１】
湾曲ケーブル部２１と直線ケーブル部２２，２３とは、互いに一対の接続コネクタ２２１，２２２（図１（ｃ）参照）を介して接続されている。一対の接続コネクタ２２１，２２２は、第１コネクタ端子２２１ａ，２２２ａおよび第２コネクタ端子２２１ｂ，２２２ｂをそれぞれ備えている。一対の接続コネクタ２２１，２２２は、第１コネクタ端子２２１ａ，２２２ａが電力ケーブル２０における湾曲ケーブル部２１の両端にそれぞれ接続され、かつ、第２コネクタ端子２２１ｂ，２２２ｂが電力ケーブル２０における直線ケーブル部２２，２３の一端にそれぞれ接続される。本実施の形態では、第１コネクタ端子２２１ａ，２２２ａと湾曲ケーブル部２１とでＵ字コネクタ部２３０（図１（ｃ）参照）を構成している。
【００３２】
そして、電力ケーブル保持用治具１００（１１０〜１４０、後述する図２から図９参照）は、端子ボックス１２の両方の端子部１２ａ，１２ｂに接続された二つの電力ケーブル２０，２０の何れか一方（図示例では下側の電力ケーブル２０）を曲げる（ここでは１８０°または略１８０°反転させる）ことにより、二つの電力ケーブル２０，２０の何れか一方（図示例では下側の電力ケーブル２０）を曲げた（ここでは折り返した）状態を保持する。本実施の形態では、Ｕ字コネクタ部２３０と電力ケーブル保持用治具１００（１１０〜１４０）とで電力ケーブル部２００を構成している。
【００３３】
そして、電力ケーブル保持用治具１００（１１０〜１４０）は、電力ケーブル２０の湾曲した湾曲状の部分に隣接する部分の間隔を維持するように、電力ケーブル２０を曲げた状態で保持する第１保持部材１０１（図３、図５、図７および図９参照）を備えている。ここでは、第１保持部材１０１は、電力ケーブル２０の湾曲した湾曲状の部分に隣接する直線状の部分（例えば直線ケーブル部２２，２３の湾曲側端部）の間隔を維持する構成とされている。これにより、電力ケーブル２０が１８０°または略１８０°反転するように曲げられた状態で該直線状の部分を保持することができる。
【００３４】
第１保持部材１０１は、二つの筒状の部材（例えば図３に示すパイプ１１０ａの直線部１１１，１１２、図７に示すパイプ部１３１，１３２）にこれらを連結する第１連結部材を設けたものであってもよい。第１連結部材は、電力ケーブル２０を挿通する筒状のもの（例えば図３に示すパイプ１１０ａの湾曲部１１３）であってもよいし、板状や棒状のもの（例えば図７に示す連結部１３３）であってもよい。
【００３５】
また、第１保持部材１０１は、板状部材（例えば図５に示す板状部１２１ａ）に、電力ケーブル２０の直線状の部分における外形の外側を係止する突起部材（例えば図５に示す突起部１２２ｂ，１２２ｃ）を設けたものであってもよい。
【００３６】
また、第１保持部材１０１は、二つの湾曲状の部材（例えば図９に示すリング部材１４０ａの保持板１４１，１４２）にこれらを連結する一対の第２連結部材を設けたものであってもよい。一対の第２連結部材は、板状のもの（例えば図９に示すリング部材１４０ａの連結平板１４３，１４４）であってもよい。
【００３７】
また、電力ケーブル保持用治具１００（１１０，１２０、図２から図５参照）は、電力ケーブル２０の湾曲した湾曲状の部分の形状を維持する構成とされた第２保持部材１０２（図３および図５参照）をさらに備えている。
【００３８】
第２保持部材１０２は、電力ケーブル２０を挿通する湾曲状かつ筒状の部材（例えば図３に示すパイプ１１０ａの湾曲部１１３）であってもよいし、板状部材（例えば図５に示す板状部１２１ｂ）に、電力ケーブル２０の湾曲状の部分における外形の内側および外側を係止する突起部材（例えば図５に示す突起部１２２ａ，１２２ｄ，１２２ｅ）を設けたものであってもよい。
【００３９】
次に、第１実施形態から第４実施形態の電力ケーブル保持用治具１１０〜１４０について以下に説明する。
【００４０】
［第１実施形態］
図２および図３は、第１実施形態の電力ケーブル保持用治具１１０を説明するための説明図である。図２は、太陽電池モジュール本体１１の側面１１ａにおける端子ボックス１２に接続された電力ケーブル部２００においてＵ字コネクタ部２３０の電力ケーブル２０が電力ケーブル保持用治具１１０に保持されている状態を示す概略正面図である。図３は、Ｕ字コネクタ部２３０の電力ケーブル２０を保持した第１実施形態の電力ケーブル保持用治具１１０を示す概略斜視図である。なお、図２並びに後述する図４、図６および図８において符号１３は太陽電池モジュール本体１１の枠体を示している。
【００４１】
第１実施形態の電力ケーブル保持用治具１１０（図３参照）は、互いに平行または略平行な直線状の二つの直線部１１１，１１２と両端１１３ａ，１１３ｂが二つの直線部１１１，１１２の一端１１１ａ，１１２ａにそれぞれ連結された湾曲状の湾曲部１１３とを有するパイプ１１０ａ（筒状部材）を備えている。ここでは、電力ケーブル保持用治具１１０は、それ自身がパイプ１１０ａとされている。
【００４２】
電力ケーブル保持用治具１１０は、パイプ１１０ａ内に電力ケーブル２０（ここでは湾曲ケーブル部２１）を挿通することにより、電力ケーブル２０が曲げられた状態で（ここでは１８０°または略１８０°反転するように曲げられた状態で）電力ケーブル２０を保持する構成とされている。
【００４３】
本第１実施形態において、パイプ１１０ａは、電力ケーブル２０の曲げ応力よりも大きい曲げ応力を有する材質（硬い材質）で形成したものであることが好ましい。
【００４４】
本第１実施形態では、電力ケーブル保持用治具１１０は、二つの直線部１１１，１１２の一端１１１ａ，１１２ａと湾曲部１１３の両端１１３ａ，１１３ｂとが一体的に連結されている。
【００４５】
詳しくは、パイプ１１０ａとされた電力ケーブル保持用治具１１０は、ここでは、金属等の材料で構成されて直線状とされた円筒状のパイプを１８０°または略１８０°反転するように曲げ加工したものである。パイプ１１０ａは、円筒状に限定されず、その他、筒状のものであれば、角筒状等の何れの形状であってもよい。
【００４６】
具体的には、二つの直線部１１１，１１２は、長さＬ１，Ｌ２が互いに同一または略同一の長さとされている。湾曲ケーブル部２１の折り返し点２１ａ（湾曲部１１３の曲げ方向の中央部）から一端部１１３ａまでの距離Ｌ３と他端部１１３ｂまでの距離Ｌ４とが同一または略同一の距離とされている。また、二つの直線部１１１，１１２および湾曲部１１３は、内径φ１，φ２，φ３が同一径とされている。内径φ１，φ２，φ３は、電力ケーブル２０の外径φａよりも電力ケーブル２０がパイプ１１０ａ内を円滑に挿通できる程度に大きめとされている。なお、第１コネクタ端子２２１ａ，２２２ａがパイプ１１０ａ内を通過しない程度の寸法とされている場合には、第１コネクタ端子２２１ａ，２２２ａの少なくとも一方を湾曲ケーブル部２１に取り付けない状態での湾曲ケーブル部２１をパイプ１１０ａ内に挿通させた後、湾曲ケーブル部２１に第１コネクタ端子２２１ａ，２２２ａの少なくとも一方を取り付けることができる。
【００４７】
［第２実施形態］
図４および図５は、第２実施形態の電力ケーブル保持用治具１２０を説明するための説明図である。図４は、太陽電池モジュール本体１１の側面１１ａにおける端子ボックス１２に接続された電力ケーブル部２００においてＵ字コネクタ部２３０の電力ケーブル２０が電力ケーブル保持用治具１２０に保持されている状態を示す概略正面図である。図５は、Ｕ字コネクタ部２３０の電力ケーブル２０を保持した第２実施形態の電力ケーブル保持用治具１２０を示す概略斜視図である。
【００４８】
第２実施形態の電力ケーブル保持用治具１２０（図５参照）は、板状の板状部１２１と、板状部１２１に設けられて湾曲した電力ケーブル２０（ここでは湾曲ケーブル部２１）を保持する複数の突起部１２２（ここでは５つの突起部１２２ａ，１２２ｂ，１２２ｃ，１２２ｄ，１２２ｅ）とを備えている。ここでは、電力ケーブル保持用治具１２０は、板状部１２１と複数の突起部１２２とで構成されている。
【００４９】
複数の突起部１２２は、電力ケーブル２０（ここでは湾曲ケーブル部２１）の外形の内側と外側とのうち少なくとも外側（ここでは湾曲ケーブル部２１の一端部側２１ｂおよび他端部側２１ｃの外側）を係止することにより、電力ケーブル２０が曲げられた状態で（ここでは１８０°または略１８０°反転するように曲げられた状態で）電力ケーブル２０を保持する構成とされている。
【００５０】
本第２実施形態では、複数の突起部１２２（１２２ａ〜１２２ｅ）は、電力ケーブル２０（ここでは湾曲ケーブル部２１）の外形の内側を係止する１または複数（ここでは１つ）の第１突起部１２２ａと、電力ケーブル２０（ここでは湾曲ケーブル部２１）における折り返し点２１ａを中心とした曲げ方向Ｗにおける一方側Ｗ１において外形の外側を係止する１または複数（ここでは２つ）の突起部１２２ｂ，１２２ｄと、第１突起部１２２ａの曲げ方向Ｗにおける他方側Ｗ２において外形の外側を係止する１または複数（ここでは２つ）の突起部１２２ｃ，１２２ｅとからなっている。電力ケーブル保持用治具１２０は、板状部１２１と複数の突起部１２２とが一体的に連結されている。
【００５１】
詳しくは、板状部１２１は、ここでは、四角形状のものとされており、一方の面において円柱状の複数の突起部１２２（１２２ａ〜１２２ｅ）が立設されている。突起部１２２（１２２ａ〜１２２ｅ）は、何れも同一形状とされている。板状部１２１は、四角形状に限定されず、その他、板状のものであれば、円形状等の何れの形状であってもよく、設置するスペースに合わせた形状としてもよい。突起部１２２（１２２ａ〜１２２ｅ）は、円柱状に限定されず、その他、角柱状等の何れの形状であってもよく、例えば、電力ケーブル２０に接触する部分において電力ケーブル２０の外周形状に合わせて凹みが設けられていてもよい。この場合、この凹みにより突起部１２２の突出方向における電力ケーブル２０の抜けを効果的に防止することができる。
【００５２】
具体的には、湾曲ケーブル部２１の外形の内側を係止する第１突起部１２２ａは、板状部１２１の上下方向Ｘの他方側Ｘ２における部分（第２板状部１２１ｂ）において湾曲ケーブル部２１の折り返し点２１ａの位置に設けられている。湾曲ケーブル部２１の外形の外側を係止する第２突起部１２２ｂ〜１２２ｅのうち、第２突起部１２２ｂ，１２２ｃは、板状部１２１の上下方向Ｘの一方側Ｘ１における部分（第１板状部１２１ａ）において湾曲ケーブル部２１の一端部側２１ｂ（直線状の部分）および他端部側２１ｃ（直線状の部分）をそれぞれ係止する一方、第２突起部１２２ｄ，１２２ｅは、板状部１２１の上下方向Ｘの他方側Ｘ２における部分（第２板状部１２１ｂ）において湾曲ケーブル部２１の一端部側２１ｂおよび他端部側２１ｃと折り返し点２１ａとの間（湾曲状の部分）をそれぞれ係止する構成とされている。湾曲ケーブル部２１の一端部側２１ｂおよび他端部側２１ｃをそれぞれ係止する第２突起部１２２ｂ，１２２ｃは、互いに対向するように設けられている。湾曲ケーブル部２１の一端部側２１ｂおよび他端部側２１ｃと折り返し点２１ａとの間をそれぞれ係止する第２突起部１２２ｄ，１２２ｅは、互いに対向するように設けられている。折り返し点２１ａの一方側Ｗ１の突起部１２２（１２２ｂ，１２２ｄ）と他方側Ｗ２の突起部１２２（１２２ｃ，１２２ｅ）とは折り返し点２１ａを通る電力ケーブルの直線方向（ここでは上下方向Ｘ）に沿った仮想直線αに対して線対称に配設されている。突起部１２２（１２２ａ〜１２２ｅ）は、湾曲ケーブル部２１の長手方向において均等または略均等に設けられている。板状部１２１は、電力ケーブル２０の直線状の部分における外形の外側を係止する突起部１２２ｂ，１２２ｃを設けた部分（第１板状部１２１ａ）と、電力ケーブル２０の湾曲状の部分における外形の内側および外側を係止する突起部１２２ａ，１２２ｄ，１２２ｅを設けた部分（第２板状部１２１ｂ）とが一体的に連結されている。なお、湾曲ケーブル部２１の一端部側２１ｂおよび他端部側２１ｃを係止する第２突起部はそれぞれ複数設けられていてもよい。湾曲ケーブル部２１の外形の内側を係止する第１突起部は、湾曲ケーブル部２１の一端部側２１ｂおよび／または他端部側２１ｃを係止するようにしてもよい。湾曲ケーブル部２１の外形の内側を係止する第１突起部は、湾曲ケーブル部２１の折り返し点２１ａの近傍（両側の近傍）を係止するようにしてもよい。湾曲ケーブル部２１の外形の外側を係止する第２突起部は、湾曲ケーブル部２１の折り返し点２１ａの位置および／またはその近傍を係止するようにしてもよい。板状部１２１は、第１板状部１２１ａと第２板状部１２１ｂとが一体的に連結されているが、第１板状部１２１ａおよび第２板状部１２１ｂが分断されていてもよい。
【００５３】
［第３実施形態］
図６および図７は、第３実施形態の電力ケーブル保持用治具１３０を説明するための説明図である。図６は、太陽電池モジュール本体１１の側面１１ａにおける端子ボックス１２に接続された電力ケーブル部２００においてＵ字コネクタ部２３０の電力ケーブル２０が電力ケーブル保持用治具１３０に保持されている状態を示す概略正面図である。図７は、Ｕ字コネクタ部２３０の電力ケーブル２０を保持した第３実施形態の電力ケーブル保持用治具１３０を示す概略斜視図である。
【００５４】
第３実施形態の電力ケーブル保持用治具１３０（図７参照）は、互いに平行または略平行な直線状の二つのパイプ部１３１，１３２（筒状部材）と、二つのパイプ部１３１，１３２を平行または略平行を維持するように連結する連結部１３３とを備えている。ここでは、電力ケーブル保持用治具１３０は、二つのパイプ部１３１，１３２と連結部１３３とで構成されている。
【００５５】
電力ケーブル保持用治具１３０は、電力ケーブル２０を、二つのパイプ部１３１，１３２のうち、一方のパイプ部１３１の一方側１３１ａから他方側１３１ｂに挿通し、かつ、他方のパイプ部１３２の他方側１３２ｂから一方側１３２ａに挿通することにより、電力ケーブル２０が曲げられた状態で（ここでは１８０°または略１８０°反転するように曲げられた状態で）電力ケーブル２０を保持する構成とされている。
【００５６】
本第３実施形態では、電力ケーブル保持用治具１３０は、二つのパイプ部１３１，１３２が連結部１３３に直交または略直交した状態で連結されている。電力ケーブル保持用治具１３０は、二つのパイプ部１３１，１３２の長手方向（図示例では上下方向Ｘ）における中央部１３１ｃ，１３２ｃと連結部１３３の長手方向（図示例では水平方向Ｙ）における両端１３３ａ，１３３ｂとが一体的に連結されている。
【００５７】
詳しくは、電力ケーブル保持用治具１３０は、正面視でＨ字状の形状とされている。パイプ部１３１，１３２は、ここでは、円筒状のものとされている。パイプ部１３１，１３２は、円筒状に限定されず、その他、筒状のものであれば、角筒状等の何れの形状であってもよい。連結部１３３は、ここでは、板状のものとされている。連結部１３３は、板状に限定されず、その他、二つのパイプ部１３１，１３２を連結可能な部材であれば、棒状等の何れの形状であってもよく、設置するスペースに合わせた形状としてもよい。
【００５８】
具体的には、二つのパイプ部１３１，１３２は、湾曲ケーブル部２１の一端部側２１ｂ（直線状の部分）および他端部側２１ｃ（直線状の部分）をそれぞれ挿通する構成とされている。二つのパイプ部１３１，１３２は、長さＬ５，Ｌ６が互いに同一または略同一の長さとされている。二つのパイプ部１３１，１３２は、内径φ４，φ５が同一または略同一径とされている。内径φ４，φ５は、電力ケーブル２０の外径φａよりも電力ケーブル２０がパイプ部１３１，１３２内を円滑に挿通できる程度に大きめとされている。なお、第１コネクタ端子２２１ａ，２２１ｂがパイプ部１３１，１３２内を通過しない程度の寸法とされている場合には、第１コネクタ端子２２１ａ，２２１ｂの少なくとも一方を湾曲ケーブル部２１に取り付けない状態での湾曲ケーブル部２１をパイプ部１３１，１３２内に挿通させた後、湾曲ケーブル部２１に第１コネクタ端子２２１ａ，２２１ｂの少なくとも一方を取り付けることができる。
【００５９】
前述した第１実施形態において、本第３実施形態で用いたような連結部１３３を用いて電力ケーブル保持用治具１１０における二つの直線部１１１，１１２を連結するようにしてもよい。また、本第３実施形態において、第１実施形態で用いたような電力ケーブル保持用治具１１０における湾曲部１１３を用いて湾曲部１１３に電力ケーブル２０（ここでは湾曲ケーブル部２１）の湾曲した部分を挿通することにより電力ケーブル２０の湾曲した部分を保持するようにしてもよい。
【００６０】
［第４実施形態］
図８および図９は、第４実施形態の電力ケーブル保持用治具１４０を説明するための説明図である。図８は、太陽電池モジュール本体１１の側面１１ａにおける端子ボックス１２に接続された電力ケーブル部２００においてＵ字コネクタ部２３０の電力ケーブル２０が電力ケーブル保持用治具１４０に保持されている状態を示す概略正面図である。図９は、Ｕ字コネクタ部２３０を保持した第４実施形態の電力ケーブル保持用治具１４０を示す概略斜視図である。
【００６１】
第４実施形態の電力ケーブル保持用治具１４０（図９参照）は、長尺なリング形状とされたリング部材１４０ａを備えている。ここでは、電力ケーブル保持用治具１４０は、それ自身がリング部材１４０ａとされている。
【００６２】
電力ケーブル保持用治具１４０は、リング部材１４０ａ内に電力ケーブル２０（ここでは湾曲ケーブル部２１）を湾曲させて挿通することにより、電力ケーブル２０が曲げられた状態で（ここでは１８０°または略１８０°反転するように曲げられた状態で）電力ケーブル２０を保持する構成とされている。
【００６３】
本第４実施形態では、電力ケーブル保持用治具１４０は、内周面において湾曲ケーブル部２１の一端部側２１ｂ（直線状の部分）および他端部側２１ｃ（直線状の部分）をそれぞれ保持する二つの半筒状の保持板１４１，１４２と、二つの保持板１４１，１４２をそれぞれ連結する二つの連結平板１４３，１４４とを備えている。電力ケーブル保持用治具１４０は、一方の保持板１４１の周方向Ｙにおける一端１４１ａと一方の連結平板１４３の周方向Ｙにおける一端１４３ａとが一体的に連結され、かつ、一方の保持板１４１の周方向Ｙにおける他端１４１ｂと他方の連結平板１４４の周方向Ｙにおける一端１４４ａとが一体的に連結されている。また、電力ケーブル保持用治具１４０は、他方の保持板１４２の周方向Ｙにおける一端１４２ａと一方の連結平板１４３の周方向Ｙにおける他端１４３ｂとが一体的に連結され、かつ、他方の保持板１４２の周方向Ｙにおける他端１４２ｂと他方の連結平板１４４の周方向Ｙにおける他端１４４ｂとが一体的に連結されている。
【００６４】
詳しくは、リング部材１４０ａは、電力ケーブル２０の挿通方向から視て楕円状のものとされており、ここでは、無端状のリング部材とされている。保持板１４１，１４２は、ここでは、半円筒状の湾曲板とされている。保持板１４１，１４２は、半円筒状に限定されず、その他、半筒状のものであれば、半角筒状等の何れの形状であってもよい。二つの連結平板１４３，１４４は、正面視で四角形状とされている。連結平板１４３，１４４は、四角形状に限定されず、その他、二つの半筒状の保持板１４１，１４２を連結可能な部材であれば、何れの形状であってもよく、設置するスペースに合わせた形状としてもよい。
【００６５】
具体的には、二つの保持板１４１，１４２は、湾曲ケーブル部２１の一端部側２１ｂ（直線状の部分）および他端部側２１ｃ（直線状の部分）を保持する構成とされている。二つの保持板１４１，１４２は、長さＬ７，Ｌ８が互いに同一または略同一の長さとされている。二つの連結平板１４３，１４４は、同一または略同一形状とされ、幅Ｌ９，Ｌ１０が同一または略同一の幅とされている。そして、二つの保持板１４１，１４２の長さＬ７，Ｌ８および二つの連結平板１４３，１４４の幅Ｌ９，Ｌ１０は同一とされている。また、二つの保持板１４１，１４２は、内曲面の曲率半径ｒ１，ｒ２が同一または略同一径とされている。内曲面の曲率半径ｒ１，ｒ２は、電力ケーブル２０の外径半径ｒ３と等しいか、或いは外径半径ｒ３よりも電力ケーブル２０が保持板１４１，１４２内側に確実に保持される程度に大きめとされている。
【００６６】
本第４実施形態において、第１実施形態で用いたような電力ケーブル保持用治具１１０における湾曲部１１３を用いて湾曲部１１３に電力ケーブル２０（ここでは湾曲ケーブル部２１）の湾曲した部分を挿通することにより電力ケーブル２０の湾曲した部分を保持するようにしてもよい。
【００６７】
［本実施の形態について］
以上説明したように、本実施の形態によれば、電力ケーブル２０の湾曲した湾曲状の部分に隣接する部分の間隔を維持するように、電力ケーブル２０を曲げた状態で保持する第１保持部材１０１を備えていることで、電力ケーブル２０を設置する場所がたとえ狭いスペースであっても、電力ケーブル２０を曲げた状態で確実に保持することができ、例えば、電力ケーブル２０の曲げ半径を所定値以上に保持した状態で電力ケーブル２０を曲げることが可能となる。また、電力ケーブル２０の湾曲した湾曲状の部分の形状を維持する構成とされた第２保持部材１０２をさらに備えていることで、直線状の部分間の距離を確実に維持でき、これにより、電力ケーブル２０の湾曲した部分を安定的にかつ確実に保持することが可能となる。
【００６８】
詳しくは、第１実施形態の電力ケーブル保持用治具１１０では、互いに平行または略平行な直線状の二つの直線部１１１，１１２と両端１１３ａ，１１３ｂが二つの直線部１１１，１１２の一端１１１ａ，１１２ａにそれぞれ連結された湾曲状の湾曲部１１３とを有するパイプ１１０ａ内に電力ケーブル２０を挿通することにより、電力ケーブル２０が曲げられた状態で（ここでは１８０°または略１８０°反転するように曲げられた状態で）電力ケーブル２０を保持することで、また、第２実施形態の電力ケーブル保持用治具１２０では、板状部１２１に設けられて湾曲した電力ケーブル２０を保持する複数の突起部１２２（１２２ａ〜１２２ｅ）が、電力ケーブル２０（ここでは湾曲ケーブル部２１）の外形の内側と外側とのうち少なくとも外側を係止することにより、電力ケーブル２０が曲げられた状態で（ここでは１８０°または略１８０°反転するように曲げられた状態で）電力ケーブル２０を保持することで、また、第３実施形態の電力ケーブル保持用治具１３０では、電力ケーブル２０を、連結部１３３により平行または略平行を維持するように連結された直線状の二つのパイプ部１３１，１３２のうち、一方のパイプ部１３１の一方側１３１ａから他方側１３１ｂに挿通し、かつ、他方のパイプ部１３２の他方側１３２ｂから一方側１３２ａに挿通することにより、電力ケーブル２０が曲げられた状態で（ここでは１８０°または略１８０°反転するように曲げられた状態で）電力ケーブル２０を保持することで、また、第４実施形態の電力ケーブル保持用治具１４０では、リング部材１４０ａ内に電力ケーブル２０を湾曲させて挿通することにより、電力ケーブル２０が曲げられた状態で（ここでは１８０°または略１８０°反転するように曲げられた状態で）電力ケーブル２０を保持することで、電力ケーブル２０を設置する場所がたとえ狭いスペースであっても、電力ケーブル２０を曲げた状態で（ここでは１８０°または略１８０°反転させた状態で）確実に保持することが可能となる。
【００６９】
これにより、例えば、電力ケーブル２０の曲げ作業の作業性の容易化を実現させることができる上、電力ケーブル２０の曲げ形状を（具体的には一定または略一定の曲率半径とされた円弧状に）維持することができ、それだけ外観上の仕上がり状態を向上させることができ、しかも、電力ケーブル２０を曲げ過ぎることを効果的に防止でき、例えば導通不良が生じるといった信頼性の低下を回避することが可能となる。これらのことは、本実施の形態のように、集合住宅や一戸建ての住宅におけるバルコニー等の場所に太陽電池モジュール１０を設置することで、それだけ電力ケーブル２０を設置する場所のスペースＳＰが狭くなる場合に、特に有効である。
【００７０】
しかも、第１実施形態の電力ケーブル保持用治具１１０では、パイプ１１０ａを用いることにより、簡単かつ安価な構成でありながら電力ケーブル２０の湾曲した部分を確実に保持することができる上、電力ケーブル２０の湾曲した部分の形状をパイプ１１０ａの形状に維持させることが可能となる。また、パイプ１１０ａを電力ケーブル２０の曲げ応力よりも大きい曲げ応力を有する材質（硬い材質）で形成する場合、或いはたとえパイプ１１０ａが電力ケーブル２０の曲げ応力以下の曲げ応力を有する材質（柔軟な材質）で形成されていたとしても連結部１３３（図７参照）により二つの直線部１１１，１１２を連結させる場合には、二つの直線部１１１，１１２間の距離を確実に維持でき、これにより、電力ケーブル２０の湾曲した部分を安定的にかつ確実に保持することが可能となる。
【００７１】
また、第２実施形態の電力ケーブル保持用治具１２０では、板状部１２１（１２１ａ）および複数の突起部１２２（１２２ｂ，１２２ｃ）を用いることにより、安価な構成でありながら電力ケーブル２０の湾曲した部分を安定的にかつ確実に保持することができる。また、板状部１２１（１２１ｂ）および複数の突起部１２２（１２２ａ，１２２ｄ，１２２ｅ）を用いることにより、電力ケーブル２０の湾曲した部分の形状を複数の突起部１２２（１２２ａ，１２２ｄ，１２２ｅ）の配設位置の形状に維持させることが可能となる。
【００７２】
また、第３実施形態の電力ケーブル保持用治具１３０では、二つのパイプ部１３１，１３２および連結部１３３を用いることにより、安価な構成でありながら電力ケーブル２０の湾曲した部分を安定的にかつ確実に保持することができる。また、湾曲部１１３（図３参照）を用いて湾曲部１１３に電力ケーブル２０の湾曲した部分を挿通することにより電力ケーブル２０の湾曲した部分を保持する場合には、電力ケーブル２０の湾曲した部分の形状を湾曲部１１３の形状に維持させることが可能となる。
【００７３】
また、第４実施形態の電力ケーブル保持用治具１４０では、リング部材１４０ａを用いることにより、簡単かつ安価な構成でありながら電力ケーブル２０の湾曲した部分を安定的にかつ確実に保持することができる。また、湾曲部１１３（図３参照）を用いて湾曲部１１３に電力ケーブル２０の湾曲した部分を挿通することにより電力ケーブル２０の湾曲した部分を保持する場合には、電力ケーブル２０の湾曲した部分の形状を湾曲部１１３の形状に維持させることが可能となる。
【００７４】
なお、本実施の形態では、太陽電池モジュール１０として、太陽電池モジュール本体１１の側面１１ａに端子ボックス１２を設けたものを用いたが、太陽電池モジュール本体１１の裏面に端子ボックス１２を設けたものを用いてもよい。
【００７５】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００７６】
１０      太陽電池モジュール
１１      太陽電池モジュール本体
１１ａ    側面
１２      端子ボックス
１３      枠体
２０      電力ケーブル
２１      湾曲ケーブル部
２２      直線ケーブル部
２３      直線ケーブル部
１００    電力ケーブル保持用治具
１０１    第１保持部材
１０２    第２保持部材
１１０    電力ケーブル保持用治具
１１０ａ  パイプ
１１１    直線部
１１２    直線部
１１３    湾曲部
１２０    電力ケーブル保持用治具
１２１    板状部
１２２    突起部
１２２ａ  突起部
１２２ｂ  突起部
１２２ｃ  突起部
１２２ｄ  突起部
１２２ｅ  突起部
１３０    電力ケーブル保持用治具
１３１    パイプ部
１３１ａ  一方側
１３１ｂ  他方側
１３２    パイプ部
１３２ａ  一方側
１３２ｂ  他方側
１３３    連結部
１４０    電力ケーブル保持用治具
１４０ａ  リング部材
２００    電力ケーブル部材
２３０    Ｕ字コネクタ部
３００    手すり（太陽電池モジュール取付構造体の一例）
３１０    フレーム（支持部材の一例）
Ｗ        曲げ方向
Ｗ１      一方側
Ｗ２      他方側
Ｘ        上下方向
Ｘ１      一方側
Ｘ２      他方側
Ｙ        周方向
【図１】
2014146621.tif 000003
【図２】
2014146621.tif 000004
【図３】
2014146621.tif 000005
【図４】
2014146621.tif 000006
【図５】
2014146621.tif 000007
【図６】
2014146621.tif 000008
【図７】
2014146621.tif 000009
【図８】
2014146621.tif 000010
【図９】
2014146621.tif 000011
【図１０】
2014146621.tif 000012